(57)【要約】【課題】  柱上変圧器等の変圧器を劣化から確実に保護することができるのみならず、点検も容易に行うことができる、撤去変圧器用の保管装置を得ること。【解決手段】  変圧器４０を積載する枠体１０，２０と、枠体を覆うカバー体３０とを有し、カバー体３０が前記枠体の上面および側面を覆い、側面の一部３２，３５を透明乃至半透明部を備えて形成したこと。【選択図】  図２
0003110180.tif 000002
【実用新案登録請求の範囲】
【請求項１】
変圧器を積載する枠体と、枠体を覆うカバー体とを有し、カバー体が前記枠体の上面および側面を覆い、側面の一部を透明乃至半透明部を備えて形成したことを特徴とする変圧器用保管装置。
【請求項２】
枠体が上下に積み重ねられた一対の枠体からなり、各枠体が矩形の底板と、底板の四隅に立てた柱部材と、柱部材を連結する梁部材とからなり、カバー体は積層枠体の上面を覆う上面部と側面を覆う四つの側面部とを有し、側面部の少なくとも一つがその全部乃至一部の範囲で透明あるいは半透明に形成されていると共に、隣接する側面部がファスナーによって連結されている請求項１に記載の保管装置。
【請求項３】
カバー体が下方に位置する枠体の柱に結ばれる結束バンドを備えた請求項１又は２に記載の保管装置。
【請求項４】
上方に位置する枠体を形成する梁部材に渡されかつ結合され、カバー体を下面から担持する支持バンドを備えた請求項１〜３のいずれかに記載の保管装置。
【請求項５】
カバー体がポリエチレン樹脂シートからなる請求項１〜４のいずれかに記載の保管装置。
【考案の詳細な説明】
【技術分野】
【０００１】
本考案は、柱上変圧器などの変圧器用保管装置に係わり、さらに詳しくは、廃棄などの処理をすべき物質，材料を含む変圧器を保管するための装置に関する。
【背景技術】
【０００２】
柱上変圧器は、例えば家庭用の１００Ｖ電圧に変換するためのもので、極めて多くの電柱上に設置されている。このような柱上変圧器において、例えば、絶縁油に有害物質を含むものは、そのような物質を使用しない変圧器を交換することが行われている。撤去された変圧器は、例えば変圧器リサイクルセンターにおいて、絶縁油を抜いた状態で保管したあと、容器や内部部材に付着した処理すべき物質を洗浄除去し、トランス容器の再利用できるものは再使用に回し、再利用できないトランス容器はリサイクル可能な鉄や銅などを抽出するリサイクル向けの処理がなされる。
【０００３】
しかしながら、処理施設の数がまだ少なく、処理にもかなりの時間がかかるところ、変圧器の交換は急務であるため、膨大な数の撤去された多数の変圧器がまとめて保管され、処理を待っているのが現状である。撤去した変圧器の保管は、例えば変圧器を載せた枠体を積み上げ、防水シートを被せて雨などから保護している場合もあるが、大半は過疎地域の空地などにほぼ野積みの状態にあるため、容器劣化により処理すべき物質が流出する恐れがあり、点検にもかなりの手間を要しているのが現状である。
【考案の開示】
【考案が解決しようとする課題】
【０００４】
本考案はこのような現状に鑑み、柱上変圧器等の変圧器を劣化から確実に保護することができるのみならず、点検も容易に行うことができる、撤去変圧器用の保管装置を得ることを、課題とする。
【課題を解決するための手段】
【０００５】
上記課題を解決することを目的としてなされた本考案変圧器用保管装置の構成は、変圧器を積載する枠体と、枠体を覆うカバー体とを有し、カバー体が前記枠体の上面および側面を覆い、側面の一部を透明乃至半透明部を備えて形成したことを特徴とするものである。
【０００６】
本考案変圧器用保管装置においては、カバー体の側面部の少なくとも一つが透明あるいは半透明に構成されていると共に、そのカバー体における隣接する側面部にファスナーによって連結されていてもよい。
【０００７】
さらに、カバー体は、下方に位置する枠体の柱に結ばれる結束バンドを備えていてもよく、さらにまた、上方に位置した枠体を形成する梁部材に架設されてその梁部材に結合され、カバー体を担持する支持バンドを備えていてもよい。なお、カバー体は、ポリエチレン樹脂シートの軽量で柔軟なシート材から形成されている方が取扱い上便宜である。
【考案の効果】
【０００８】
本考案変圧器用保管装置は、枠体を覆うカバー体とを有し、カバー体が枠体の上面および側面を覆い、側面の一部を透明に構成したので、変圧器を劣化から確実に保護することができるばかりか、点検も容易に行うことができる。すなわち、変圧器を載せた枠体は、枠体の底板およびカバー体によって包まれ、かつシールされ、内部に雨などが入らず、太陽光からも遮断されるため、変圧器の構成部分の劣化を効果的に防ぐことができ、また、ＰＣＢも外部に飛散せず安全である。さらに、カバー体の透明な側面から内部にある各変圧器の状態の点検も簡単に行えるため、保管手間やそのコストも低減することができる。
【０００９】
本考案の変圧器用保管装置において、枠体が上下に積み重ねられた少なくとも一対の枠体を備え、各枠体が矩形の底板と、底板の四隅に立てた柱部材と、柱部材を連結する梁部材とからなり、カバー体は積層枠体の上面を覆う上面部と側面を覆う四つの側面部とを有し、側面部の少なくとも一つが透明あるいは半透明に構成され、隣接する側面部にファスナーによって連結された構成としたものでは、一つの保管装置で多数の変圧器の保管を行なうことができる。
【００１０】
この場合において、カバー体が下方に位置する枠体の柱に結ばれる結束バンドを備えていると、保管装置の背が高くても、カバー体が風などに煽られないため、雨などの侵入がなく、カバー体をかけ直す手間も要らなくなり、保管コストをさらに低減することができる。そして、上方に位置する枠体を形成する梁部材に架設されてそこに結合され、カバー体を担持する支持バンドを備えている保管装置では、雪や多量の雨がカバー体の上面部に溜まっても、その重量を枠体を支持バンドでも受けると共にその雪や雨を容易に排出することができる。これにより確実に変圧器を保管装置の中に密閉保管しておくことができる。
【考案を実施するための最良の形態】
【００１１】
次に、添付図面を参照して、本考案変圧器用保管装置の実施形態の一例を説明する。添付図面において、図１は一部を破断した本考案保管装置の平面図、図２は図１の装置の正面図、図３は図１，図２の装置の右側面図、図４はカバー体の展開平面図、図５は設置状態を説明するための斜視図である。
【００１２】
図示した本考案変圧器用保管装置は、柱上変圧器を積載する上下方向で一対の枠体１０，２０と、これらの枠体１０，２０を覆う一個のカバー体３０とを有している。
【００１３】
各枠体１０，２０は、箱枠状の同一構造をもつ枠体が、図の例では上下方向に積み重ねられている。下方に位置する枠体１０は略正方形の底板１１、底板１１の四隅に立設した４本の柱部材１２、および各柱部材１２の上部間に架設した梁部材１３からなる立方体の輪郭形状を呈するものである。各柱部材１２の下端には台座１４が固定されている。
【００１４】
上方にある枠体２０も、下位の枠体１０と同様の構造，形態を備えたもので、矩形状の底板２１と、底板２１の四隅に立てた柱部材２２と、柱部材２２の上部を連結する梁部材２３とからなる立方体形状を呈するものである。上位の枠体２０は、その柱部材２２の下端に固定された台座２４を下位の枠体１０の柱部材１２の上端に載せた状態で連結固定し、上下に積層された構造に形成されている。
【００１５】
上記の積層枠体１０，２０を外面から覆うカバー体３０は、積層一体化された上，下の枠体１０，２０の上面および側面をすっぽり覆うもので、図４に例示したように、枠体１０の上面に位置する上面部３１と、四周の側面に位置する４つの側面部３２〜３５を上面部３１の四辺に連続して有している。このカバー体３０の全体は、一例として合成樹脂シート、例えばポリエチレン樹脂シートから形成されているが、側面の一部、例えば少なくとも１つの側面部３２、又は、側面部３２と３５は透明なポリエチレン樹脂シートで形成すると共に、残りの側面部３３，３４を不透明なポリエチレン樹脂シートで形成する。なお、カバー体３０の素材並びにその透明部分の素材は、柔軟シート地で耐候性の高い生地であれば、他の織布やシート材などを使用することができる。
【００１６】
図４において、カバー体３０における不透明な側面部３３，３４は互いに対面する側縁Ｅが結合されている。また、側面部３２，３５の側縁および上縁には、ポリエチレン樹脂シートからなる幅狭の補強帯３２ａ，３５ａがラミネートなどにより付加されている。一方、透明な側面部３２，３５における互いに対面する側縁には、その長手方向側縁に線ファスナー３６が取り付けられている。また、側面部３５と３４、並びに側面部３２と３３における互いに対面する側縁には、その長手方向側縁にファスナー３７と３８が取り付けられている。従って、図４に鎖線で示す折り目線Ｂに沿って各側面部３２〜３５を下方に向かって曲げたとき、ファスナー３６，３７を閉じることによって互いに隣接した側面部同士を連結することができる。なお、ファスナー３６，３７，３８はプラスチック製又は金属製の線ファスナーである。
【００１７】
撤去した変圧器４０は、図２，図３に例示するように、各枠体１０，２０の底板１１と２１の上にそれぞれ載せられる。上位の枠体２０は、その底板２１の下面にフォークリフトのフォーク（爪）を入れて持ち上げることができるので、下位の枠体１０の上部に積層して下位の柱部材１２の上端と上位の柱部材２２の台座２４において連結固定する。積層した枠体１０，２０に対するカバー体３０の装着は、上面部３１を上位の枠体２０の上面に、側面部３３，３４を積層した上下の枠体１０，２０の側面に位置させて、その積層枠体１０，２０に被せ、それから、図５に示すように、積層枠体１０，２０の残余の側面を覆うように各側面部３２〜３５を引き下し、ファスナー３６〜３８を下げて閉じることにより、すべての側面部３２〜３５互いに連結することで上下の枠体１０，２０の全体がカバーされる。
【００１８】
これによって、積層枠体１０，２０に収容されている変圧器４０は、カバー体３０にすっぽり包み込まれ、雨露や太陽光から保護され、万一、処理すべき絶縁油等の物質が漏洩することがあったとしても、枠体１０，２０の底板１１，２１がそれを受け止めると共に、カバー体３０が外部への飛散を阻止する。このため、長期にわたって安全に多数の変圧器４０を保管することができる。
【００１９】
上記態様による保管中に大量の積雪や降雨があっても、本考案保管装置では、カバー体３０によって変圧器４０を保護することができる構成を備えている。即ち、図１に示す支持バンド５１，５２はこのためのもので、一例として合成樹脂糸の織布製ベルトにより構成されている。
【００２０】
支持バンド５１と５２は、上位の枠体２０を構成しかつ互いに対面する梁部材２３，２３の間にクロスして架設され、かつ両端がこれらの梁部材２２に結合されている。対向する梁部材２３とバンド５１，５２の結合は、各支持バンド５１，５２の両端付近に固定されたバックルなどの止め環５３，５４に、各支持バンド５１，５２の両端を通すことによってなされている。
【００２１】
これらの支持バンド５１，５２は、カバー体３０の上面部３１に雪が溜まったり、雨水が堆積したとき、カバー体３０を下面から支えるので、カバー体３０が雨水等の重量で下方にたるむのを防ぎ、また、たるみにより各側面部３２〜３５が上方に引き上げられるのを阻止して、常に収容積載された多数の変圧器４０のすべてをカバー体３０によってほぼ完全に包み込むことができる。なお、支持バンド５１，５２は、その交差部を止め具５５によって結合して、支持バンド５１，５２の位置ずれを阻止すると共に、機械的強度をさらに高めている。
【００２２】
さらに、本考案保管装置では、結束バンド６１がカバー体３０の側面部３５の両側縁に、結束バンド６２が側面部３２，３４における側面部３５に隣接する側縁に固定されている。これらの結束バンド６１，６２も、一例として合成樹脂糸の織布製ベルトからなっており、一端が側面部３５，３２，３４の内面に固定され、反対側が側面部３５，３２，３４を貫通して外部に延びている。結束バンド６１，６２は、前述のようにして、カバー体３０を積層した上，下の枠体１０，２０に被せたときに、枠体１０，２０の柱部材１２，２２と一緒に縛られる。このような結束バンド６１，６２は、風などによってカバー体３０の側面部３２〜３５が煽られたときに、側面部３２〜３５が上方に引き上げられるのを阻止し、常に収容された変圧器４０をカバー体３０によって包み込んで、内部の変圧器４０を確実に保護することができる。
【００２３】
変圧器４０の保管は、同様に構成された複数の本考案保管装置を、カバー体３０の側面部３２あるいは側面部３５を通路に向けて密接して並べることによってなされる。各変圧器４０の状態は、図に示した例ではカバー体３０の交叉する側面部３２と３５が透明部を有しているため、管理者が通路を通るだけで目視によって点検することができる。
【００２４】
なお、以上説明した実施例において、枠体１０は二段積層タイプとしたが、積載収容して保管する変圧器が小型の変圧器であれば、より多くの枠体を３層以上に積層した構成とすることができ、また、必要であれば、単一の枠体のみから構成するなどしてもよい。枠体の背が低い場合には、結束バンド６１，６２を必要としないこともある。支持バンド５１，５２も保管装置のサイズや保管環境に応じて使用したり使用しなかったりする態様を選択することができる。
【００２５】
更に、カバー体３０は、側面部３２，３５の全体が透明に形成されているが、その一部を縦長の窓状に透明にする形態、或は、一つの側面部のみを、その全部又は一部を透明にすれば、枠体１０，２０の内部にある変圧器４０の点検を行なうことができる。また、側面部３３，３４はそれぞれの側縁Ｅを結合してあるが、ファスナーによって開閉自在に連結してもよい。ファスナー自体もホックなどの他のファスナー手段を採用することができる。
【産業上の利用可能性】
【００２６】
本考案は変圧器保管装置を、変圧器を積載する枠体と、枠体を覆うカバー体とを有し、カバー体が前記枠体の上面および側面を覆い、側面の一部を透明乃至半透明部を備えて形成したから、変圧器を劣化から確実に保護することができるのみならず、点検も容易に行うことができ、産業上きわめて有用である。
【図面の簡単な説明】
【００２７】
【図１】一部を破断した本考案保管装置の平面図。
【図２】図１の装置の正面図。
【図３】図１，図２の装置の右側面図。
【図４】カバー体の展開平面図。
【図５】設置状態を説明するための斜視図。
【符号の説明】
【００２８】
１０，２０  上，下の枠体
１２，２２  柱部材
１３，２３  梁部材
３０        カバー体
３１        上面部
３２〜３５  側面部
３６〜３８  ファスナー
４０        変圧器
５１，５２  支持バンド
６１，６２  結束バンド
【図１】
0003110180.tif 000003
【図２】
0003110180.tif 000004
【図３】
0003110180.tif 000005
【図４】
0003110180.tif 000006
【図５】
0003110180.tif 000007